(57)【特許請求の範囲】
【請求項１】
研磨効果のある粒子を含む流動媒体（６）をスプレーするための医療又は歯科医療用ハンドピース（６１ｂ）のカニューレ（１）であって、
カニューレ基部（２）、
該カニューレ基部（２）から前方に伸長する実質的に真直ぐなカニューレ軸（３）、及び
該カニューレ軸（３）の前端領域において側方を向く出口ノズル（４）
を含み、
カニューレ軸（３）において、第１送出ライン（５）の第１流路部分（７ａ）が軸方向前方に伸長し、該第１流路部分（７ａ）から第２流路部分（７ｂ）が出口ノズル（４）へ向かって横に伸長し、
カニューレ（１）において、カニューレ基部（２）の領域における流入口（２１ａ）から第２送出ライン（２１）が伸長し、及び
第２送出ライン（２１）の第１流路部分（２１ｂ）は後端領域において第１送出ライン（５）の第１流路部分（７ａ）の長さ部分を覆ってほぼ平行に前方へ伸長し、
第２送出ライン（２１）は出口ノズル（４）の領域における第１送出ライン（５）の第２流路部分（７ｂ）を囲む環状ノズル（２１ｃ）に伸長し、
第２送出ライン（２１）の第１流路部分（２１ｂ）は、カニューレ軸（３）に配置されて第１流路部分（７ａ）を形成している直線流路スリーブ（２２）を囲む環状隙間（２１ｄ）によって形成され、前記第１流路部分（２１ｂ）の前端領域において、少なくとも１つの連続した結合流路（５８）により環状ノズル（２１ｃ）と結合され、
逆流遮断弁（３５ａ、３５ｂ）が、第２送出ライン（２１）に配置され、
逆流遮断弁（３５ａ）が、環状薄膜（５２）を有し、該環状薄膜（５２）の内縁部、又は外縁部が軸方向に固定され、それぞれの他の縁部は密着して環状面（８）と協同し、逆流遮断弁（３５ａ）は、流動媒体（６）の流圧により軸方向に弾力的に外側に曲がるものであり、
逆流遮断弁（３５ｂ）が、リップ弁（４７）を有し、
逆流遮断弁（３５ａ）が、出口ノズル（４）の領域に配置され、リップ弁（４７）がカニューレ（１）の中間領域に配置されることを特徴とするカニューレ（１）。
【請求項２】
環状隙間（２１ｄ）が、流路スリーブ（２２）が後端領域から前方に連続したテーパー状であるように形成されることを特徴とする請求項１に記載のカニューレ。
【請求項３】
逆流遮断弁（３５ｂ）が、後部から近接可能に後部収容部（４１ａ）に配置され、閉鎖部３７によって閉じられることを特徴とする請求項１から２のいずれかに記載のカニューレ。
【請求項４】
連続結合流路（５８）が、環状隙間（２１ｄ）の前端領域から伸長している横断流路（３６）を有することを特徴とする請求項１から３のいずれかに記載のカニューレ。
【請求項５】
第２送出ライン（２１）が、横断流路（３６）から前方へ伸長し、第１送出ライン（５）の第１流路部分（７ａ）に対して軸並行である送出ライン部分（２１ｇ）を有することを特徴とする請求項４に記載のカニューレ。
【請求項６】
逆流遮断弁（３５ａ、３５ｂ）が、送出ライン部分（２１ｇ）に配置されることを特徴とする請求項５に記載のカニューレ。
【請求項７】
送出ライン部分（２１ｇ）が、後部から近接可能であることを特徴とする請求項５及び６に記載のカニューレ。
【請求項８】
逆流遮断弁（３５ｂ）が、後部から導入及び交換可能であることを特徴とする請求項６及び７に記載のカニューレ。
【請求項９】
閉鎖部（３７）が、即時締結装置（４１）によりカニューレ（１）に後部から取外可能に結合されることを特徴とする請求項３から８のいずれかに記載のカニューレ。
【請求項１０】
出口ノズル（４）が、環状ノズル（２１ｃ）に囲まれたノズルスリーブ（８）を有し、該ノズルスリーブが側方に突出するカニューレの付属部（３ａ）に埋込み式で配置されることを特徴とする請求項１から９のいずれかに記載のカニューレ。
【発明の詳細な説明】
【技術分野】
【０００１】
本発明は、研磨流動媒体による人間及び動物の治療のためのカニューレに関する。好ましくは、気体流動媒体、特に、研磨粒子、例えば、研磨剤を混入した空気、又は圧縮空気を含む。カニューレはカニューレ基部、カニューレ基部から前方に伸長するカニューレ軸、カニューレ軸の前端領域に配置され、側方を向く出口ノズルからなる。これにより、出口ノズル前に位置する治療部位はカニューレにより僅かに隠れるだけであり、患者の口腔内等の体の体腔内に位置する場合であっても、治療を施す人は、治療部位に上手く接近し、良好な視界が得られる。
【０００２】
研磨流動媒体は、圧力で出口ノズルより噴出され、表面の汚染を除去する目的に使用することができ、その際に表面自体は穏やかに扱われる。しかしながら、表面から物質を除去するため等に表面自体を研磨するように作用可能である。従って、流動媒体の効果は、混入される粒子の摩損性による。
【０００３】
本発明に関する種類のカニューレには、カニューレが前方に突出し、カニューレの担体を形成しているハンドピース、又はハンドインスツルメントが備わっている。機能的に作動する際、ハンドピースは治療を実施する人に手で把持され、カニューレを治療部位へ向けて動かされる。治療部位において動かす本発明に関する種類で最も知られているハンドピースは、研磨粒子が、ハンドピースに設置された供給容器からハンドピースを通る流動の間に気流に混入される。
【背景技術】
【０００４】
第１のカニューレ、及び関連するハンドピースについて、流動媒体は、出口ノズル領域の空気と粒子の混合体に水を混合して、研磨粒子と水が混合された空気、又は圧縮空気からなり、研磨粒子は、湿潤すると数分後に水に溶解する物質である。そのような、流動媒体は、特に、表面から汚染を清浄するために最適である。歯科医療の用途において、例えば、喫煙によるステイン及び歯垢等の汚染を歯の表面から除去することができる。研磨粒子は、例えば、重炭酸ナトリウムＮａＨＣＯ３（また、炭酸水素ナトリウムとも言う）がよい。第１のハンドインスツルメントに関するカニューレは欧州特許第０８３４２９１Ｂ１号明細書に記載される。
【０００５】
第２のカニューレ、及び関連するハンドピースの場合、粒子の摩損性がより大きく、水に溶解しない物質、例えば、酸化アルミニウム（Ａｌ２Ｏ３）又は、コランダム粒子が用いられる。そのような研磨粒子は例えば水なしで空気だけで流動媒体を形成することができるので、水の供給を省くことができる。
【０００６】
第１及び第２のカニューレは、機能的に作動する際、貫流する研磨粒子に起因する磨耗にさらされる。この磨耗は、流動媒体の方向変更により、特に２つの配送流路部分間の頂点領域において起こる。
【０００７】
【特許文献１】欧州特許第０８３４２９１Ｂ１号明細書
【発明の開示】
【発明が解決しようとする課題】
【０００８】
本発明の目的は、可使時間を増大するために関係するカニューレに関する。この目的は、請求項１又は３０の特徴により達成される。
【課題を解決するための手段】
【０００９】
請求項１による構成の場合、本発明の流路は先端領域において、第一送出流路に軸対称に位置し、カニューレ軸の材料よりも耐摩耗性である材料からなる衝突面を持つ衝突壁を有する。これにより可使時間が延長される。好ましくは、材料は、研磨効果がある粒子に関し、機能的に作動する際、研磨、又は磨耗が僅かに起こるか、又は、全く起こらないような耐摩耗性を有する。しかしながら、材料がある程度耐摩耗性であるので磨耗が減少する場合であっても、可使時間を増大させるという所望の目的は達成できる。
【００１０】
カニューレ内の流路部分を囲む保護壁が、本発明に対応して構成される場合にも本発明によって達成される利点が対応した構成に適応される。この構成は、衝突壁の適切な構成の組み合わせでも適合するが、また、本発明の保護壁の構成のみでも、特に、可使時間の増大のために、衝突壁の領域に異なる解決策が使用される場合に可使時間の増大という所望の目的が達成される。
【００１１】
衝突壁及び／又は保護壁の材料は合金鋼、超硬合金が大変適切である。しかしながら、硬さ、及び弾性が指定された制限内である場合に、プラスチックもまた驚くべきほど、衝突壁及び／又は保護壁に適切であることが分かった。
【００１２】
請求項３０による構成の場合、第１流路部分の端部領域において拡大流路が配置される。この拡大流路は、緩和室を形成し、カニューレが作動する際、圧力、及び流速が軽減される。結果として、研磨粒子の塊、及び摩損性も減少され、第１流路部分に対峙する壁端領域における磨耗が軽減される。拡大流路と第２流路部分の間の移行領域において、穏やかな層流を達成するために、この移行領域に、収束するようなもの、具体的には、第２流路部分への空洞の円錐形の移行物を与えるのがよい。これにより、流れが向上するだけでなく、第２流路部分における粒子の摩損性が減少し、従って、第２流路部分の磨耗が軽減される。
【００１３】
カニューレには、機能的に作動する際、人間、及び／又は動物に接触する目的が含まれる。多くの場合に、体に対する操作時に接触が起こり、体の特定の刺激官能性があるところにおいての接触であることを考慮しなければならない。従って、この種類に関するカニューレは、人間、又は動物との適合性を特に必要条件とする。更に、特別な必要条件はカニューレ強度に対して要求される。後者は、特に、カニューレが出来るだけ小さい断面を有すると予想される負荷も出来るだけ小さくあるべきであるという観点から、より小さく、又はより細い構造型の場合にも検討すべきである。
【００１４】
従って、更に、本発明の目的は、請求項２の序文に記載する種類のカニューレに関して、治療する体との適合性を向上することである。
【００１５】
この目的は、請求項２の特徴により達成される。本発明の有利な発展は、関連する従属項に示される。
【００１６】
本発明によるこれらの構成の場合、カニューレ軸はセラミック材料からなる。これにより、カニューレは魅力的で高価な外観だけでなく、また本体に関しても特に、本体とカニューレの温度差に関しても良好な適合性が与えられる。本発明によるカニューレは熱伝導性が低く、比較的温度差が大きい場合でも、著しい不適合は発生しない。
【００１７】
セラミック材料は、鋳型鋳造、及び加圧成形され、この構造は異なる構成が含まれる場合でさえも、単純で経済的な製品の製造が可能となる。本発明による構造の更なる利点は、セラミック材料の場合に、問題無く消毒、殺菌、又は滅菌することが出来る無反応な材料を含み、このことは、医療、又は歯科医療用ハンドピース用カニューレの場合に重要である。また、硬質セラミック材料を用いることも効果的である。これにより、カニューレはまたより耐摩耗性が向上する。
【００１８】
衝突壁は、挿入部分により形成され、好ましくは、カニューレの壁の貫通受入穴に、例えば、ねじ込み等で嵌着される。流動媒体の流れ方向に関して、以下の場合に衝突壁の好ましい配置が提供される。送出流路部分に含まれる角の２等分線に対して直角に配置される場合であり、その結果、流路部分、及び好ましくは平らな衝撃壁により含まれる角度、はいずれの場合にも同じであり、入射角度は、反射角度におおよそ対応する。
【００１９】
水不溶性材料の研磨粒子が使用される場合に水も含む流動媒体を用いることは特に有効である。なぜならば水を用いることで、粒子の治療場所への影響がより少なくなるためである。しかしながら、特に、患者の口腔内の場合等、小さく、且つカニューレの接近が難しい部位にカニューレで接近可能にするため、必要とされる水の送出について、第２送出ラインを設けてカニューレをより大きい構造型にすることは避けなければならない。よって、必然的に単純で経済的な製造可能な構造を確定すべきである。
【００２０】
従って、本発明は、更に請求項１６の序文に記載する種類のカニューレを単純で小さい構造に構成することも目的とする。
【００２１】
この目的は、請求項１６の特徴により達成される。本発明の有利な発展は、関連する従属項に示される。
【００２２】
請求項１６による構造に関して、第２の送出ラインの少なくとも一つは同軸上の配置であるため、コンパクトな構造だけでなく、単純な構造を得ることができ、流路スリーブが真直ぐに伸長するため、単純で前もって加工された流路スリーブを、嵌入して使用することができる。
【００２３】
ハンドピースに繋がれたカニューレは、様々な患者に用いられるため、汚染、又は病原体が次の患者に転移することがない衛生状態を備えなければならない。特別に危険な領域は、とりわけ、水の送出ラインであり、汚染、又は病原体が特に容易に移動することができ、従って、後方に戻って移動されうる。これは、また、研磨粒子、特に、水不溶性材料の場合にもあてはまりが、水が溶解により影響を及ぼされるので水溶性材料の場合でも、当てはまる。粒子そのものと粒子が溶解した水のどちらも、汚染可能であり、また、カニューレの後方領域にある繊細な部品、又はカニューレと結合するハンドピースの機能、例えば、カニューレとハンドピースの間、又はハンドピースと結合された供給ラインの間の取外可能な結合等にも影響する。
【００２４】
従って、本発明の目的は更に、関係する種類のカニューレの衛生の向上である。更に、汚染、及び／又は病原体の水送出ラインへの影響を避ける、又は減少させるべきである。
この目的は請求項１９の特徴により達成される。
【００２５】
本発明による構成に関して、カニューレの水送出ラインにおいて逆流遮断弁が配置される。これはいくつかの理由のため有利である。一方で遮断弁は、汚染、及び／又は病原体の逆移送を防止して、衛生を向上させる。
【００２６】
更に、遮断弁により、研磨粒子がカニューレ、又はハンドピースの後方領域に達し、機能的な破壊の原因となることを防ぐ。特に、ハンドピースの構造を著しく損傷しうる水不溶解粒子を使用する場合に適用される。
【００２７】
カニューレは、カニューレ内を１つの送出ライン、及び、特に２つの送出ラインが伸長するどちらの場合でも、例えば、流路を加える、耐磨耗材料のラインスリーブ、ノズル、又は挿入部分を設置する等の様々な製造手段を必要とする部品である。これは、伸長構造型でありながら側方を向く出口ノズルがあるため難しい。
【００２８】
更に、本発明の目的は、請求項２４の序文に記載される種類のカニューレを構成するためであり、より単純に、且つより少ない費用で製造、及び組み立て可能となる。
【００２９】
本発明は、請求項２４の特徴により達成することができる。本発明の有利な発展は、関連する従属項に示される。
【００３０】
請求項２４に記載の本発明によるカニューレの場合、カニューレ軸は差込結合、又はねじ込み結合形態の結合装置により、互いに連結される２つの長手部分からなる。これにより、個別の２つのカニューレ部分の製造、事前製作、取付け手段を実施することができる。よって、特に、内部製造又は取付け手段のためにカニューレ部分への近接性が非常に単純化され、従って、これらの手段をより単純に、より早く、より経済的に実施することができる。
【００３１】
よって、長手部分は、差込結合、又はねじ込み結合形態の結合により互いに結合される。どちらの場合も、一方の長手部分には、連結収容部及び、他方の長手部分には、連結ピンがあり、連結ピンが連結収容部に、例えば、圧入、接着、ハンダ付け、溶接、ねじ込みにより導入され固定される。長手部分の外面を互いに半径方向に段差を形成しないように終端処理することで、治療が施される体に滑り接触する際に、障害を形成しない。
【００３２】
本発明の構成は、特に、２つの送出ラインが伸長するカニューレに適切である。なぜならこの場合、内部構造が複雑で外部からの接近が難しいからである。
【００３３】
第２送出ラインが、前方長手部分に、軸に対して平行、又は斜めに、後部から出口ノズルに向かって伸長するライン部分を有する場合に単純な構造が達成される。このライン部分をカニューレの側部に出口ノズルに向かって配置すると、有利な構造が得られる。なぜなら放射状の分岐は小さな構造を可能にするが、ライン部分が出口ノズルに向かって直接伸長するため単純な構造が予め決められるからである。これに本発明のカニューレの構造の更なる特徴が寄与する。
【００３４】
本発明は、また、研磨粒子用供給容器を有するハンドピースに関する。欧州特許第０８３４２９１Ｂ１号明細書に開示されるように粒子と気流の混合がうまく機能することを確実にするため、気流による供給容器内の粒子乱流が必要であることが公知である。これは、供給容器が相当な磨耗にさらされ、供給容器、及びハンドピースの可使時間を著しく減少させる。また、供給容器から前方へ伸長する流路、又は、流路スリーブにも同じことが当てはまる。
【００３５】
従って、本発明の更なる目的は、本発明に関するハンドピースの可使時間を延長することである。この目的は、従属請求項２４の特徴により達成される。
【００３６】
請求項２４に記載の発明による構造の場合、少なくとも、供給容器の内壁、及び／又は流路スリーブの硬度（圧入硬度）が、欧州規格ＥＮ  ＩＳＯ  ２０３９−１により、少なくとも、１５０Ｎ／ｍｍ２、特に、約１８０Ｎ／ｍｍ２〜２２０Ｎ／ｍｍ２である硬質プラスチック材料である、及び／又は硬質プラスチック材料で覆われている。これにより、粒子が壁面に研磨作用を与えないこと、又は減少した程度のみ与えることが、驚くべき方法で達成できる。従って、供給容器、及び／又は、流路スリーブの内壁には、手間がかかり、高価な超硬合金は必要ない。よって、本発明による構造には、プラスチックが用いられ、特に射出成形部分として、困難な形態にとっては経済的に適切であるため、またより単純で経済的な構造となる。
【００３７】
更なる従属項は単純で経済的に製造可能な構成方法につながる特徴を含み、優れた機能を確実にし、取外可能又は交換可能な部品を容易に素早く組み立て、又は取外しを可能にする。
【発明を実施するための最良の形態】
【００３８】
以下に、本発明の効果的な構造を好適な実施形態、及び図面を参照してより詳細に記載する。
【００３９】
カニューレの主要部分は、図１に示すように、全体１、下記に記載のハンドピースの前端に取外不可能、又は可能に結合されるカニューレ基部２、カニューレ基部から前方に伸長し、ほぼ真直ぐなカニューレ軸３、カニューレ軸３の前端領域に配置され、側方を向く出口ノズル４、流動媒体６用送出ライン５からなり、送出ライン５が互いに同軸上に位置するカニューレ基部２、及びカニューレ軸３を通過し、第１流路部分７ａ、第１流路部分７ａ前端領域から第２流路部分７ｂが出口ノズル４まで伸長する。流路部分７ａ、及び７ｂは、図１、又は図２で鈍角を示すような後方への開放角度Ｗ１を含み、鋭角、又はおおよそ直角な角度をとる。出口ノズル４は、ノズルスリーブ８の自由端に位置し、カニューレ軸３の受入穴９にノズル軸４ａの同軸上に伸長するように接着、又はハンダ付け、溶接により定着され、受入穴９は、第１流路部分７ａにまで至るかもしれない。本実施形態において、ノズルスリーブ８は後方端面が第１流路部分７ａの内壁に位置し、後方端面８ａは第１流路部分７ａにおける円筒形の曲面と同一レベルで終わる。ノズルスリーブ８の断面は、自由端に向かってテーパー状であり、特に円錐形である。
【００４０】
図１から図３の実施形態に関して、流動媒体は、コランダム粒子等の水不溶性材料の粒子、又は水溶性材料の粒子が混入された気流（圧縮空気）からなる。
【００４１】
角度Ｗ１の頂点領域１１において、衝突面１３ａを有する衝突壁１３が流れ方向に矢印１２で示す後方から前方に向かって伸長する第１流路部分７ａに対峙し、衝突壁の材料はカニューレ軸３の材料よりもより耐磨耗性に優れ、カニューレ基部２と一体に形成するのが好ましい。衝突壁１３の実施形態の場合、挿入部１４が受入穴１５に、好ましくは、外側から挿入され、圧入、接着、溶接、又はハンダ付けにより定着させる。図１に示すように、衝突壁１３は第２流路部分７ｂの前壁部分で終わり、又は、この壁部分から小さな前方方向空間を有する。衝突壁１３、又は挿入部１４の材料として、超硬合金、又は耐磨耗性プラスチックが適切である。
【００４２】
カニューレ基部２のための取外可能な結合は、差込ピン１６ａ、及び動かすために僅かに遊びを持たせてピンを受け入れる差込収容部１６ｂを有する差込取付１６により形成されるのが好ましい。差込取付１６は、拘束装置１７と同軸上で周方向に有効に連結する。本実施形態の場合、差込取付１６及び拘束装置１７は、それぞれ、いわゆるバイオネット結合により形成されるため、差込ピン１６ａがカニューレ基部２を形成し、カニューレ軸３から後方に突出し、差込収容部１６ｂがハンドピースに配置され、前方に開く。拘束装置１７は、カニューレ軸３から半径方向に真直ぐにカニューレ軸の関連する受入穴１７ｂに定着するピン１７ａを有し、ピン１７ａは、ハンドピースの前端の角をなす収容部に対して回転挿入により導入可能であり、好ましくは係止可能である。
【００４３】
カニューレ１、又はカニューレ１を有するハンドインスツルメントが機能的に作動する際に、空気及び研磨粒子を含む流動媒体６は、後部から第１流路部分７ａを通り前方へ流れるため、衝突壁１３に衝突し、第２流路部分７ｂへそれる。
【００４４】
第２流路部分７ｂの横断面の大きさは、第１流路部分７ａよりも小さく、約半分の大きさがよい。ノズルスリーブ８の内部横断面が小さいため、流動媒体６が濃縮された噴出となる。第１流路部分７ａの横断面が大きくなると、研磨粒子が起こす詰まりに関しての無頓着さが増す。
【００４５】
衝突壁１３、又は挿入部１４及びノズルスリーブ８は、好ましくは、超硬合金であるため、カニューレ軸３は、合金鋼等の耐食鋼でありうる。衝突壁１３、及びノズルスリーブ８が耐摩耗性であるため、カニューレ１は耐腐食性である。これは、衝突面１３ａ、及びノズルスリーブ８の領域において磨耗が発生しても、僅かであるため、無視できるほどであり、カニューレ軸３の他の領域においても同様であり、粒子によって攻撃される領域は、カニューレ軸３の内面にほとんど存在しないことを意味する。
【００４６】
差込取付１６は、本実施形態においてはＯリングによって形成されるシールリング１８によって密閉され、シールリング１８は差込ピン１６ａの外面、又は差込収容部１６ｂの内面の環状溝に収容される。
【００４７】
図２の実施形態は、同じ、又は同様の部分が同じ符号で示され、上記の実施形態とは２点が異なる。１点目は出口ノズル４が直角をなして側方を向いてはいなく、前方斜めを向き、流路部分７ａ、７ｂによって形成される角度Ｗ１は、約１００°から１６０°の鈍角であり、特に、約１１０°又は１５０°でありうる。
【００４８】
もう１点は、衝突壁１３、又は挿入部１４が、第１流路部分７ａの前に伸長するノズルスリーブ８の一部分により形成される。これは、図２の実施形態の場合には、受入穴９が出口ノズル４から第１流路部分７ａの側部領域に伸長することで達成され、好ましくは、第２流路部分７ｂの流入口７ｃが、第１流路部分７ａの中心軸領域に位置する。この構造により、流動媒体６はノズルスリーブ８の後端に対して衝突する。ここでもまた、ノズルスリーブ８が、耐磨耗材料、特に、超硬合金であるため、頂点領域１１においてカニューレ軸３を磨耗損傷から保護する。
【００４９】
カニューレ基部２と頂点１１の間の領域において、カニューレ１を横に分けて後方カニューレ部分１ａ、及び前方カニューレ部分１ｂとし、結合装置１９により結合することは利点である。この結合は、取外可能であってもよいし、取外不可能であってもよい。この構造により、異なるカニューレ１、すなわち、前方又は後方カニューレ部分のみ異なって形成されているが、それぞれ、他のカニューレ部分が同じに形成されるため、それぞれ、同じ構成のカニューレ部分が異なるカニューレ１に使用可能であるカニューレが実現でき、このことは、前方カニューレ部分１ｂが互いに異なり、下方カニューレ部分１ａが同じである図１及び図２の実施形態にあてはまる。製造が大幅に単純化され、また製造費用も大幅に削減可能である。
【００５０】
結合装置１９は、差込ピン、及び差込ピンを受け入れる差込収容部を有する差込結合により形成され、差込ピン１９ｂは例えば差込収容部１９ａに差込み、圧入、又はねじ込みにより取外不可能、又は取外可能に結合される。また、後方及び前方カニューレ部分１ａ、１ｂは、接着、ハンダ付け、又は溶接により結合可能であり、異なる構造形態に対する上記の構造形態を有することができる。
【００５１】
本実施形態の場合、差込ピン１９ｂは、前方カニューレ部分１ｂの後端から後方へ伸長し、後方カニューレ部分１ａの前端に開く差込収容部１９ａに受入れられる。カニューレ部分１ａ、１ｂは差込収容部１９ａを囲む環状端面、及び差込ピン基部における段状の表面により形成される半径分割接合部１９ｃにおいて互いに関係する。
【００５２】
図３の実施形態の場合、同じ又は同様の部分が同じ符号で示され、カニューレ１は、カニューレ基部２の領域において、水を送出する第２送出ライン２１を有し、第２送出ライン２１は、１つ又は２つの流入口２１ａから前方へ伸長し、差込ピン１６ａの外面の中間領域において最初は半径方向に内部に向い、その後第１軸方向流路部分７ａに対して平行となり、出口ノズル４の末端領域に伸長する第２送出ライン２１の領域において、カニューレ軸３の付属側部３ａを除いた部分が、溝状環状開口２１ｃとして存在する。好ましくは、軸方向流路部分２１ｂは、軸方向流路部分７ａを囲む環状流路として形成され、本実施形態の場合、軸方向流路部分７ａを覆う流路スリーブ２２とこれを囲む環状空洞空間の間に形成される。本実施形態の場合、この環状空洞空間は、テーパー状の流路スリーブ２２の円筒形の横断面により形成され、流路スリーブ２２は後方肥厚端部分２２ａを有して穴に、ここでは段付き穴２３に固定される。前端領域は、軸方向空間において頂点領域１１から好ましくは空洞である円筒形流路スリーブ２２の断面寸法にテーパー状であり、流路スリーブ２２は、前端及び後端領域の段付き穴２３により固定設置され、前端及び後端領域の段付き穴２３の間には環状隙間２１ｄが存在する。
【００５３】
図３の実施形態の場合において、ノズルスリーブ８はカニューレ軸３から外側に突出するのではなく、側方に突出する付属側部３ａに埋込み式で配置され、環状ノズル２１ｃに囲まれてる。受入穴９は、付属側部３ａ内に配置され、長手方向領域中間部において内部ねじ山２４を有する段付き穴であり、段付き穴の外部長手部分９ａは、内部ねじ山２４の外径と同じ、又は内部ねじ山２４よりも多少大きく、長手部分９ｂは、内部ねじ山２４の内部に配置され、寸法は内部ねじ山２４と同じ、又は内部ねじ山２４よりも小さい。ノズルスリーブ８は、一体、又は二体で形成され、ノズルスリーブ８が位置し、同軸である穴を有する肥厚ノズル体８ｂを有する。ノズル体８ｂは、円筒状に段が付いており、内部ねじ山２４にねじ込まれる中間外部ねじ山２５、内部にありテーパー状である本体部分、及び外部本体部分によって形成され、本体部分、及び外部本体部分は、受入穴９に対して環状空間２１ｅ、２１ｆをそれぞれ有する。ノズル体８ｂは、段付き穴９に関して、スリーブノズル８がシールリング８ｃにより密閉され、ノズル体８ｂの後端面における凹部に受け入れられる。外部ねじ山２５ｂの領域において、軸並行流路８ｄがノズル体８ｂを環状溝８ｅへと伸長し、環状溝８ｅから環状空間２１ｆが軸方向に伸長する。衝突面１３ａとは対照的に、スリーブ８、２２は、研磨粒子が穏やかに通過する保護壁１３ｂを形成する。
【００５４】
更に異なる点は、衝突壁の衝突面１３ａが角度Ｗ１の二等分線Ｗｈに対してほぼ直角に伸長するため、機能的に作用するための衝突面１３ａに衝突して離れる粒子にとって入射角は反射角と実質上同じである。
【００５５】
更に異なる点は、挿入部１４は取外可能な挿入部担体３１に固定され、カニューレ１にねじ込み結合３２等により取外可能に結合される。挿入部担体３１は、ねじ穴３３にねじ込む外部ねじ山を有しえる。本実施形態の場合、挿入部担体３１、及び挿入部１４はそれぞれ円盤状であり、挿入部担体３１の外端面は、同時にカニューレ１の周面であるが、ほぼ平らであり、例えば、平端面として、ほぼ平らである傾斜３４で終わる。挿入部１４は、穴３３の平らな底部と関係し、担体３１における凹部に受入れられる。
【００５６】
図４の実施形態は、同じ又は同様の部分が同じ符号で示され、空気、研磨粒子、及び水の流動媒体６を送出するような構成だが、図３の構造と比較すると、幾つか違う点がある。第１の違いは、第２送出ライン２１において少なくとも１つの弁３５が配置され、逆流を防ぎ、いわゆる逆止め弁を形成する。従って、そのような２つの逆流遮断弁３５ａ、３５ｂをカニューレ１の領域における２つの送出ライン２１に有し、例えば、第１逆流遮断弁３５ａが出口ノズル４の領域に配置され、後方逆流遮断弁３５ａがカニューレ１の中間領域に配置され、特に、第２送出ライン２１の部分２１ｇにおいて、第１送出ライン５に平行して伸長する。第２送出ライン２１の平行部分２１ｇに横断する接続は、後方逆流遮断弁３５ａ、又は後方逆流遮断弁の上流に位置する横断流路３６により形成される。後端領域において、及び（第１流路部分７ａの領域において）おおむね流路スリーブ２２に関して、図４の実施形態は、図３の実施形態に実質的に対応するが、流路スリーブ２２は、短くてもよく、横断流路３６の上流で終わってもよい。
【００５７】
平行送出ライン部分２１ｇは、好ましくは、後部から近接可能であり、関連する逆流遮断弁３５ａが後部から導入可能、又は交換可能である。この目的のため、第２送出ライン２１の平行部分２１は、後部から近接可能であり、閉鎖部により閉鎖可能である。本実施形態の場合、閉鎖部３７は、カニューレ１に後方から取外可能に結合される。好ましくは、ラッチ装置、又はバイオネット結合等の即時締結装置４１を有する。閉鎖部３７は、カニューレ１において差込ピン３９を後部から後方に開いている差込収容部４１ａに挿入可能であり、例えば、バイオネット結合の場合に回転運動により、又はラッチグにより、いずれの場合にも挿入動作の終了時に行うことで締め付けることができる。ラッチ装置は、外周に配置された１つ以上のラッチ突出部４２によって形成されるが、これらは半径方向外側に飛び出し、いずれの場合にも差込ピン３９のラッチ端部４３の後ろで、例えば、差込ピン３９の後方にテーパー状の段状の面に係合可能なように差込収容部４１ａの外周壁に配置される。少なくとも、１つのラッチ突出４２は、斜め、又は曲線的な導入面４４を有し、その導入面４４により、ラッチ突出４２の飛び出しが自動的にもたらされ、挿入動作の終わりに後者は自動的に係止する。
【００５８】
本実施形態の場合、閉鎖部３７は、カニューレ基部２の担体であり、拘束装置１７は、例えばピン１７ａを伴い、閉鎖部３７及びカニューレ基部２により共同で形成される部品４０に配置される。
【００５９】
本実施形態の場合、閉鎖部３７は、好ましくはフランジ４６を伴う逆流遮断弁３５ａの後端が収容される収容部４５を前端に有し、第１送出ライン５の領域内に中心から外れて上方へ延び、流路スリーブ２２のための貫通穴を有し、好ましくは、フランジ４６を越えて前方へ突出する。横断流路３６は、収容部４５の底面の凹部により形成されうる。
【００６０】
本実施形態の場合、流路スリーブ２２を囲む環状隙間２１ｄは、従って部品４０に配置される。
【００６１】
遮断弁３５ａは、好ましくは、弛緩状態でほぼ閉じており、前方へ延びる少なくとも１つ又は２つのリップ４７を有するリップ弁であり、スリーブ状基体４８から延びており、スリーブ状基体４８は、適切であれば、前方へテーパー状の段を有し、第２送出ライン２１の断面を拡張する穴４９において動かすために僅かに遊びを持たせている後部から挿入され、穴４９はリップ４７の前まで延在する。
【００６２】
他の遮断弁３５ｂは、好ましくは、出口ノズル４の領域に配置され、特に、薄膜５２を有する薄膜弁が、弁自らの弾力に対し水流により開口状態に動作可能であり、及び流れがない場合には、自らの弾力があるので自動で閉鎖状態に戻る。
【００６３】
本実施形態の場合、薄膜５２が、ゴム、又はプラスチック等の弾性可撓性材料の円盤であり、内縁部がノズルスリーブ８に接しており、好ましくは、細いチューブとして形成され、ノズルスリーブ８を囲む中空穴５６の底部又は肩面５５の間に、中空穴５６は肩面５５に対して外縁部５４を締付ける締付リング５７を、例えば、ねじ込むことで固定する。水用第２送出ライン２１が、前方へ分岐、又は斜めに伸長する流路部分５８により、薄膜５２の下流、例えば、段状の表面形状の肩面５５により形成され、ノズルスリーブ８を環状に囲む、中空穴５６の底領域５９で開口する。
【００６４】
水流が遮断弁３５ａ、及び３５ｂを通過する際に、どちらの弁も流圧により自動で開く。遮断弁３５ａの場合は、リップ４７は離れており、遮断弁３５ｂの場合は、薄膜５２の内縁部５３が流れ方向外側に弾力的に曲がり、従って、ノズルスリーブ８の外面から持ち上がり、それにより前方に流れる水が通る環状隙間が自由になり、治療部位に向かう水のスリーブを形成することができる。特に、軸方向復動により、薄膜５２を有する遮断弁３５ｂが環状ノズル２１ｃにおける吸戻し効果を与えることで、液滴生成を防ぐ。
【００６５】
図１及び図２の実施形態で既に記載のように、図３及び図４の実施形態の場合もまた、それぞれ、カニューレ１の担体基体は合金鋼等の耐腐食材料がよい。
【００６６】
上記の全ての実施形態の場合、少なくともカニューレ１の前方部分１ｂの担体本体、又は、カニューレ１の担体本体の全体をセラミックで形成することもまた有用である。材料は、断熱性であり、人体に接触する場合に温度の違いにより不快と感じられるカニューレ１を治療部位と接触するのを防ぐために、特に適している。セラミックは型鋳造、及び加圧成形することができるため、鋳造物又はプレス部品として単純で経済的な製造が可能である。
【００６７】
特に、カニューレ１が水不溶性粒子を送出する場合は、カニューレ１における第１及び第２流路部分７ａ、７ｂ領域を保護壁１３ｂでセラミック体で内側を覆うことは有利であり、具体的には、図３に例示するようにスリーブ２２、及び８で覆った場合、研磨粒子がスリーブ２２、及び８を流れ、衝突壁１３で屈折する。流路スリーブ２２、衝突壁１３、及びノズルスリーブ８は、超硬合金等の十分な耐摩耗性材料からなる。挿入部担体３１、及びノズル本体８ｄは耐食鋼であるのがよい。
【００６８】
挿入部担体３１、及びノズル体本８ｂへのねじ込み、及び取出しのため、外部から近接可能な回転係合素子を有する。
【００６９】
図５において、図１及び図２のカニューレ１を備え、水溶性粒子を伴う流動媒体６の送出に役立つハンドピース６１ａの一例を図示する。ハンドピース６１ａは、概して、欧州特許第０８３４２９１Ｂ１号明細書に開示されている。この公開公報に十分に言及されているので、この明細書の一部とし、結果として以下の記載を減らすことができる。
【００７０】
ハンドピース１の主要部は、棒状ハンドピース本体６２であり、前端にカニューレ１に適合させる結合素子、ここでは、差込取付１６に適合する差込収容部１６ｂを有する。ハンドピース本体６２は、回転軸受部６３により中心軸に対して自由に回転可能に互いに配置される前方把持部６２ａ、及び、後方軸６２ｂからなる。後方軸６２ｂは、ハンドピース６２が可撓性供給ライン（図示せず）と取外可能に連結することを操作し易い方法で、即時に可能とする、差込／回転連結６５の連結素子６４を有する。可撓性供給ラインを通り空気用第１送出ライン５、及び水用第２送出ライン２１が伸長し、可撓性供給ラインに連結素子６４を有する軸６２ｂの一部が続き、好ましくは、挿入部６６を通って伸長し、挿入部６６は、製造業者に特有の連結素子６４を有し、交換可能であり、その結果ハンドピース１が製造業者に特有の結合構造に適合可能となる。図５の実施形態の場合、水用送出ライン２１は省略可能である。しかし、類似の構成とした軸部６２ｂ有するため存在する。
【００７１】
また、軸６２ｂには、供給ストッパー６７ａ等の形態で、選択的に開閉可能である研磨粒子供給容器６７が配置され、供給ストッパー６７ａは、ねじ山、特に、外部ねじ山６８によりねじ止め、ねじ開けが可能で、自由端に配置される外部ねじ山により、ねじ山支持体６９の内部ねじ山に密閉してねじ込まれ、好ましくはねじ山支持体は、特に、軸６２ｂの同軸上後方に配置される。本実施形態の場合に軸６２ｂが側部連結付属部７２を有し、側部連結付属部７２の自由端領域に連結素子６４が形成され、ここでは、円筒形、又は円筒形段付き差込収容部６４ａの形状である。
【００７２】
送出ライン５及び２１が、流路７２及び７３として連結素子６４から流動媒体６に向かう要素を受け入れるための軸方向貫通流路７４に達し、貫通流路７４は、貫通流路７４の後ろに配置される供給容器６７の供給空間６７ｂから近接可能であり、カニューレ１との結合部へと前方に近接可能である。
【００７３】
挿入部６６に軸平行に伸長する送出ライン部分、及び挿入部６６の前端開口が、ハンドピース本体６２に、スリーブ６６ａにより封止結合し、スリーブ６６ａは、差込部として挿入部６６、及びハンドピース本体６２に挿入される。
【００７４】
空気用流路７２は、後方、及び前方挿入部７６と７７の間の貫通流路７４における自由空間７５に通じている。自由空間７５から、送出ライン５が、挿入部７６における１つ以上の中心から外れた貫通流路７８の形状で伸長し、そして更に、供給空間６７ｂの中間領域において、軸方向流路スリーブ８１と外部スリーブ８２の間の環状流路７９を通り、環状流路７９は、１つ以上の送出口８３を好ましくは、中間領域に有する。流路スリーブ８１の後端において、好ましくは、スクリューノズル８４ａに流入口８４が備わり、機能的に作動する際、流入口８４を通る空気と粒子の混合流動が前方軸方向に流路スリーブ８１を通り、ハンドピース本体６２を通る。貫通流路７８又は流路７８において、それぞれ、特に、研磨粒子の逆流を防ぐ逆流遮断弁８５が１つ以上配置される。これにより、粒子が供給空間６７ｂの上流、特に連結素子６４の領域において引き起こしうる汚染や途絶が回避される。好ましくは、１つ又は２つのリップ４７を有する少なくとも１つのリップ弁が貫通流路７８に定着され、少なくとも１つのシールリップ４７が段付き穴により形成される自由空間８６において動作可能であり、遮断弁８５のスリーブ体が収容される。リップ４７は、後方を向き、供給空間６７ｂに流入する場合に開き、逆流の場合には自動で閉じる。この構造に関して、挿入部７６は、供給空間６７ｂから近接可能であり、よって遮断弁、又は弁８５を洗浄する、又は交換するために設置及び取外しが可能である。本実施形態の場合、外部スリーブ８２の取外し後実行可能であり、外部スリーブ８２も同様に、供給空間６７ｂから、又は後方からの設置及び取外しが可能であり、半径方向の締付効果により、又はねじ部として挿入部７６の固定に役立つ。
【００７５】
流路スリーブ８１は、回転軸受部６３を通過し、ハンドピース６２の前端領域に位置する挿入部８７に自由に伸長し、挿入部が軸受穴８８に回転可能に配置される、差込穴１６ｂの底部に位置し、カニューレ基部２、ここでは差込ピン１６ａを軸圧により密封する環状密閉部８９の領域に達する。挿入部８７は後部段差が形成され、円筒形に段が付いており、ハンドピース本体６２、又は把持部６２ａの貫通流路７４を通りにおいて後部から挿入される。ハンドピース６１ａの実施形態において必要ないため送出流路７３は、他の挿入部７７により遮断される。
【００７６】
図６の実施形態は、図５の実施形態とは異なり、水用送出ライン２１が挿入部６６及び貫通流路７４を通り、カニューレ１への結合素子まで伸長し、同軸上の流入口５ａに封止結合される。この目的のため、その後端部が挿入部７７に位置し、流路スリーブ８１を囲む外部流路スリーブ９２が環状隙間９１を有して配置され、送出ライン２１が挿入部７７において半径軸方向流路７７ａ、及び７７ｂを通り外部流路スリーブ９２の環状隙間９１に伸長する。ハンドピース本体６２の前端領域において、環状隙間９２は、挿入部８７における半径軸方向流路８７ａ、及び８７ｂにより更に前方へ達するため、こうして形成された送出ライン２１は、カニューレ基部２における１つ以上の流入口２１ａに接続する。空気、及び水はカニューレ１に同時に送出可能である。また、挿入部６６とハンドピース本体６２を結合するために、挿入部６６における軸並行送出ライン部分に合うスリーブ６６ａが役にたち、係合し、流路７３に封止される。
【００７７】
特に、逆流熱弁３５ａ及び３５ｄが、ハンドピース６１ｂ用カニューレ１に配置されない場合、又は、それに加えて、逆流遮断弁３５ｃがハンドピース６１ｂの領域における水用送出ラインに配置され、図８の実施形態の場合、ハンドピース本体６２における挿入部６６の下流に配置され、好ましくは、挿入部６６の後ろに直接配置され、これにより、遮断弁３５ｃは挿入部６６を連結接続支持体から取り除いた後、近接可能になる。また、遮断弁３５ｃは、前方向流動で開き、後方向復流で遮断し、いずれの場合にも自動である。遮断弁３５ｃは、互いに効果的である前方を向く１つ、又は２つのリップ弁４７を有するリップ弁である。また、遮断弁９５ｃの残りの構造は、遮断弁３５ｂの構造に実質的に対応する。遮断弁３５ｂのスリーブ状部分は、適切に広がり、好ましくは、挿入部６６の前方開口送出ライン部分、及び隣接する流路７３の両者に収容される。これにより、遮断弁３５ｃは図６の関連する貫通流路スリーブ６６ａに取り変わり得る。
【００７８】
図７は、図６のハンドピース６１ｂにおける、貫通流路７４に配置され、好ましくは、後部から挿入可能である変形挿入部８７の領域における拡大図である。軸移動に対して軸を固定し、挿入部８７は、ハンドピース本体６２、又は把持部６２ａにおいて圧入固定される。挿入部８７は、カニューレ１を装着すると特に、後方に負担がかかるため、挿入部８７用後方に遮断されたラッチ装置による係止が特に有利である。本実施形態の場合、１つ以上の鋸歯形状の凹部が軸方向に互いに背後に配置される、すなわち貫通流路７４の内壁９４における環状溝９３が配置されている。これらの収容部、すなわち環状溝９３に、壁部、すなわち挿入部８７の対応する半径方向突起９５が係止する。特に、挿入部８７がプラスチック等の僅かに圧縮弾性材料である場合に、鋸歯形状の環状の溝は、後方を向く。従って、僅かな傾斜側面の突起９５を有する挿入部８７は、容易に挿入可能であり、突起の歯が環状溝に係止する。この構造に関して、カニューレ結合とスリーブ８１又はスリーブ８１及び９２の結合のいずれもが単一部品、すなわち挿入部品８７において形成される。
【００７９】
ハンドピース６１ａ及び６１ｂが機能的に作動する際、特に水溶性粒子で操作するハンドピース６１ｂは、供給容器６７内の粒子は、気流により渦を巻き、十分均一に気流に混入し、そして、スリーブ８２、及び２２、又は小さな管を通過し衝突壁１３へと流れ、衝突壁１３で屈折してノズルスリーブ８を通過する。粒子の動きにより、上記部分の内面は磨耗にさらされる。比較的長い可使時間を確実にするために、これらの部分を超耐磨耗材料で製造する、例えば、硬合金、耐磨耗プラスチックで製造するか、又は内部を超硬合金等、又は耐磨耗プラスチックで覆うのがよい。供給容器６７に関する限り、これらの方法は、供給容器６７全体、又は壷型容器部６７ａのみに適用される。
【００８０】
試験を実施して、比較的長い可使時間を確実にするために適切なプラスチックのショア硬度が、欧州規格ＥＮ  ＩＳＯ  ２０３９−１により、約７０から１００の間、又は、硬度が少なくとも約１５０Ｎ／ｍｍ２、特に約１８０Ｎ／ｍｍ２から２２０Ｎ／ｍｍ２であることを確定した。もし、引っ張り試験においてプラスチック弾性係数が３．２Ｇｐａから４．５Ｇｐａ、特に、約３．８Ｇｐａであると更によい。更に、プラスチックである、ポリエーテルエーテルケトン（ＰＥＥＫ）、又は、ポリウレタン（ＰＵＲ）は、上記耐磨耗構造、又はコーティングに適切であることを確定した。更に、ＰＥＥＫの硬度が、欧州規格ＥＮ  ＩＳＯ  ２０３９−１により、特に、少なくとも約１５０Ｎ／ｍｍ２、特に、約１８０Ｎ／ｍｍ２〜２２０Ｎ／ｍｍ２であれば、供給容器６７、及び／又は少なくとも１つのスリーブ８１、２２、及び８の耐摩耗形成、又はコーティングに適切であることを確定した。ＰＥＥＫがより高い硬度を持つこという点で説明できる。
【００８１】
更に、ＰＵＲが、特に衝突壁１３、又は対応する挿入部１４に適であると確定した。ＰＵＲが優れた弾性を有し、衝突作用に対して、改良（耐磨耗）という意味で有効に作用する。
【００８２】
本目的のために、ポリエーテルエーテルケトン（ＰＥＥＫ）、及びポリウレタン（ＰＵＲ）成型樹脂、特に３成分系である「ブルコラン」原理による高温成型に用いるエラストマー成型樹脂が非常に適切である。それらは、鋳造前に真空下の鋳造容器内で熱で完全に脱気、脱水しなければならない長鎖アジピン酸エステルジオール(Ａｄｉｐｉｎｅｓｔｅｒｄｉｏｌｅｎ)、過剰に供給した場合長鎖で安定しない中間物を形成する、反応性が非常に高いＮＤＩ（ＭＰ  １２０℃  表４．６５、３、４７０頁を参照）、さらに最後に加えられ、構成要素としてはわずかである単純なグリコール、又は類似の、鎖を伸長させ、（４７２頁、表４．６６の反応４又は５を通して）架橋する架橋材料からなる。架橋は鋳造するとすぐに始まるが、製造物は型から取り出された後、完全に硬化させるに８０℃から１４０℃で加熱される。この可使温度範囲が広い（表４．６８）高ゴム弾性を示すエラストマーは、耐磨耗、及び離型剤、多くの溶剤、及び風化に対する耐性が極めて高い。この型の気泡エラストマーは計量された水量を加えることで０．２５から０．６５ｇ／ｃｍ３の濃度に製造される。それらは、気泡構造のため側部の変形がない圧縮性であり、非常に良好な減衰及び衝突反動作用を示す。
【００８３】
これら以外にも安定したポリエーテル−ＭＤＩプレポリマーの２成分熱硬化性樹脂がある。上記分類系と比較して、より単純に製造でき、機械的にはそれほどよくないが、より耐加水分解性を有する。
【００８４】
供給容器、又は容器部６７ａのプラスチックは、好ましくは不透明であり、浸透着色、特に黒く浸透着色するのが好ましい。これにより、内部が磨耗しているということがわからない。
【００８５】
従って、また、上記のプラスチックは送出ライン５のための衝突壁１３及び保護壁１３ｂとして耐磨耗性を有するため適切である。従って、また、これらのプラスチックはノズル４ａ及び／又はスリーブ流路８１及び／又はスリーブ流路２２及び／又はスリーブ流路８及び／又は衝突壁１３の材料としても使用可能であるため長い可使時間が確実となる。
【００８６】
図９及び図１０の実施形態は、同じ、又は同様の部分が同じ符号で示され、上記実施形態の特徴の組み合わせを含み、特に、図１及び図２の実施形態に液体用、特に水用送出ライン２１を追加した組み合わせを含む。カニューレ１の後部は、実質的に図１の実施形態に対応し、２つの送出ライン２１が差込ピン１６ａの領域半径方向に内部に伸長し、軸方向流路部２１ｄとして環状流路の形状で前方に伸長する。従って、軸方向流路部２１ｄが、後方カニューレ部分１ａと前方カニューレ部分１ｂの間の分割接合部まで伸長する。流路スリーブ２２は、分割接合部を越えて前方カニューレ部分１ｂまで伸長し、前方カニューレ部分１ｂの流路部分１０１に、適合するように位置し、適合を与えるものによりそこに封止され、又は流路部分１０１に接着される。従って、後端領域を除く流路スリーブ２２が図３に示すようにテーパー状として、又は、流路スリーブ２２が空洞円筒形スリーブとして形成され、図８及び図９に示すように、差込ピン１６ａから差込収容部１９ａに伸長する延長流路により軸方向流路部分２１ｂが形成される。
【００８７】
既に図３及び図４の実施形態に示したように、図８及び図９の実施形態でもまた、第１送出ライン５、及び第２送出ライン２１のための共有の出口ノズル４を有し、第１送出ライン５を通り空気が送出する、及び研磨粒子を運ぶための中央出口流路４ｂを有し、環状空間において中央出口流路４ｂ囲む液体、特に水用環状流路４ｃを有する。
【００８８】
中央出口流路４ｂが、好ましくは受入穴９に収容されるフランジ８ｆを内縁部に有する空洞円筒形ノズルスリーブ８に配置され、適切な場合、受入穴９は、拡張したフランジ８ｆに適合する段付きの形状であり、圧入、又は接着により固定される。特に、ノズルスリーブ８がフランジ８ｆを有する場合、受入穴９は貫通穴として出口ノズル４から外側に向かい伸長した穴部分９ｃで形成され、該穴部分９ｃは、流路部分１０１のもう一方側では、固定封止状態で据え付けられた栓１０２によって閉じられている。栓１０２の外面端は、好ましくは、カニューレ１の円筒形の外面で終わる。
【００８９】
環状流路４ｃは、第１内側ノズルスリーブ８を囲む第２外側ノズルスリーブ８ｇにより、環状の間隔で、形成され、第２外側ノズルスリーブは拡大穴９ｄに固定封止形態で位置する。内側ノズルスリーブ８は、外側ノズルスリーブ８ｇを超えて僅かに突出する。
【００９０】
第２送出ライン２１は環状流路４ｃの後端、又は外側ノズルスリーブ８ｇに伸長し、環状流路４ｃと半径方向で結合する。好ましくは、カニューレ１の長手軸方向に実質的に平行に伸長する送出ライン２１の端部と環状流路４ｃの間の流れが逸れる領域に斜めに円錐形状で伸長する結合流路部４ｄが備えられ、本実施形態の場合、外側ノズルスリーブ８ｇの後端又は内端の円錐状導入面により形成される。結合部分４ｄの斜め、又は収束形状により、乱れのない滑らかな流動が得られる。結合流路部４ｄに伸長し、斜め及び／又はほぼ軸並行である送出流路部分１０３は、差込ピン１９ｂの後側から伸長し、前方カニューレ部分１ｂを後方カニューレ部分１ａ、又はノズルスリーブ８、８ｇに結合する前に、前方カニューレ部分１ｂに組み込むことができるが、例えば、後方、又は前方から穴を開けることで可能となる。軸並行流出部分ライン１０３に結合部分４ｄに開く斜め（図９）又は外側に分岐する、及び／又はテーパー状のライン部分１０３ａが隣接する。
【００９１】
環状軸方向流路部分２１ｂと分岐送出ライン部分１０３の結合には、実質的に半径方向に伸長し、好ましくは、差込収容部１９ａの底部と差込ピン１９ｂの間の環状自由空間により形成される結合流路１０４が提供される。
【００９２】
内側ノズルスリーブ８を安定させるために、内側ノズルスリーブの外面から又は、好ましくは、外側ノズルスリーブ８ｇの内面から突き出し環状流路４ｃを通過する支持カム８ｈを有する。複数の支持カム８ｈが配置され、例えば、２つ又は３つの支持カム８ｈが周辺に分布しうる。支持カム８ｈは、好ましくは、外側ノズルスリーブ８ｇの端部から軸方向空間を有する。
【００９３】
ハンドピースへの取付け、及び取外しを容易にするため、カニューレ１に回転式器具のための回転係合素子１０５を形成するのが有利であり、結果としてハンドピースとの結合、又は分離がより容易にできるようになる。本実施形態の場合、回転係合素子１０５は、２つの平坦化された部分、又は、点線で示される面１０５ａを有する、いわゆるレンチスパンにより、提供され、好ましくは、カニューレの後方基部領域に配置され、出口ノズルを含む長手方向中間平面に平行に伸長する。回転係合素子１０５は、また、半径方向に隠れた穴１０５ｂにより形成されうる。
【００９４】
図９、及び図１０の実施形態は、互いに次の点が異なる。図１０の実施形態において、出口ノズル４、又は流路４ｂ、４ｃはカニューレ軸に関してほぼ直角Ｗ１で伸長し、図９の実施形態の場合、カニューレ軸に関して９０°から１２０°、好ましくは約１１０°の鈍角Ｗ１であることを含む。
【００９５】
特に、出口ノズル４が直角、鈍角Ｗ１をとるどちらの場合も、軸方向流路部分１０１の領域端に拡大流路１０７を形成することは有利であり、本実施形態の場合には、拡大流路１０７は、流路部分１０１の前端領域において流路スリーブ２２を有さずに形成してもよい。これにより、緩和室が拡張して形成され、減圧、及び減速に役立つ。従って、緩和室１０７ａは、粒子の研磨効果の軽減に寄与し、それにより、流路部分１０１に対峙する壁端における磨耗が軽減される。
【００９６】
カニューレ１が機能的に作動する際、流路部分１０１の端部における研磨粒子は、材料を取り除くことで空洞を作り出す。これは、何の意味もなさない。研磨粒子が溜まってしまい、同じ硬度の後続の粒子を屈折させるため、その結果、軸方向送出ライン部分１ａに対峙する壁領域における材料が取り除かれると動きが止まる。緩和室１０７ａと中央出口流路４ｂの間の流路制限により、後者においてまた、スプレーされる物体、具体的には、歯において所望の材料を取り除くことに関して望まれる流速の増加が生じる。
【００９７】
ここでは、円錐状収束出口流路４ａは、後部では傾斜端４ｅによるが、研磨粒子は出口流路４ａを通過して層流へとなることをもたらす。
【００９８】
カニューレ１の断面形状は、好ましくは、直線に伸長し、特に円形、好ましくは、円筒形である。
【００９９】
全ての実施形態の場合において、セラミック、プラスチック、ステンレス鋼、又は超硬合金からなる、粒子流用誘導壁又は接触壁を形成する部分を作り、又はこれらの材料の１で内側を覆うことは磨耗の減少、及び可使時間の延長のために有利である。ここでは、以下の部分、つまり、供給容器６７、供給ストッパー６７ａ、流路スリーブ８１、スリーブ２２、カニューレ１の本体、前方カニューレ部分若しくはカニューレ部分１ａ、１ｂ両者及び／又はノズルスリーブ８若しくは８ｇを含む。セラミックは既に説明した理由で、治療される人体と物理的に接触するカニューレ１の外部、例えば、カニューレ本体、又は、ノズルスリーブ８ｇ等に適切である。
【０１００】
セラミック材料として、ボロンカーバイド、酸化ジルコニウム、シリコンカーバイド、又は、酸化アルミニウム等の工業用セラミックが適切である。ステンレス鋼とは、合金成分が５％よりも多く、５％よりるものは耐錆性及び耐酸性である。超硬合金は、好ましくは焼結超硬合金である。プラスチックに関しては、上記の部分に非常に適切である上記の耐摩耗性プラスチックが注目される。
【図面の簡単な説明】
【０１０１】
【図１】図１は、本発明のカニューレの横断面図である。
【図２】図２は、図１のカニューレの変形構造を示す図である。
【図３】図３は、本発明のカニューレの更なる変形構造の長手部分を示す図である。
【図４】図４は、カニューレの変形構造の長手部分を示す図である。
【図５】図５は、図１のカニューレを有するハンドインスツルメントを示す横断面図である。
【図６】図６は、図３又は図４のカニューレ用ハンドインスツルメントを示す横断面図である。
【図７】図７は、図６に矢印Ｘで指定された詳細を拡大した変形図である。
【図８】図８は、図６に矢印Ｙで指定された詳細を示す変形構造図である。
【図９】図９は、本発明のカニューレの更なる変形構造の横断面図である。
【図１０】図１０は、本発明のカニューレの更なる変形構造の横断面図である。
【図１】
0004413142.tif 000002
【図２】
0004413142.tif 000003
【図８】
0004413142.tif 000004
【図３】
0004413142.tif 000005
【図４】
0004413142.tif 000006
【図５】
0004413142.tif 000007
【図６】
0004413142.tif 000008
【図７】
0004413142.tif 000009
【図９】
0004413142.tif 000010
【図１０】
0004413142.tif 000011